(57)【要約】【課題】  物品に取り付けられたＲＦＩＤタグの物品情報が含まれる電磁波が、電磁遮蔽材による影響を受けることのなく読出装置に受信される什器を提供すること。【解決手段】  什器１の収納部１０１内にＲＦＩＤタグ３０が付された物品１４が収納され、読出装置４７は収納部１０１内に設けられた棚板に前記電磁遮蔽材から所定間隔離間して配設するので、読出装置とＲＦＩＤタグ３０の物品情報が含まれる電磁波が電磁遮蔽材１９から影響を受けることがなく、ＲＦＩＤタグ３０の物品情報の読み出しが正確に行う。【選択図】  図４
2005144007.tif 000002
【特許請求の範囲】
【請求項１】
前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記読出装置は前記収納部内に設けられた棚板に前記電磁遮蔽材から前記収納部内に所定間隔離間されて配設されていることを特徴とする物品情報の読出装置を備える什器。
【請求項２】
前記読出装置が設けられた棚板は非電磁遮蔽材で構成される請求項１に記載の物品情報の読出装置を備える什器。
【請求項３】
前記読出装置が設けられた棚板は電磁遮蔽材で構成され、該電磁遮蔽材と前記読出装置との間には磁性体が介挿されている請求項１に記載の物品情報の読出装置を備える什器。
【請求項４】
前記収納部の天板または底板あるいはその両者が電磁遮蔽材からなる請求項１乃至３のいずれかに記載の物品情報の読出装置を備える什器。
【請求項５】
前記棚板に２つの読出装置が対面状態で配設され、この２つの読出装置の間には、電磁波干渉防止部材が介挿されている請求項１乃至４のいずれかに記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００６】
そこで本発明は、このような問題点に着目してなされたもので、物品に取り付けられたＲＦＩＤタグの物品情報が含まれる電磁波が、電磁遮蔽材による影響を受けることのなく読出装置に受信される什器を提供することを目的とする。
【課題を解決するための手段】
【０００７】
上記課題を解決するために、本発明の請求項１に記載の物品情報の読出装置を備える什器は、前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記読出装置は前記収納部内に設けられた棚板に前記電磁遮蔽材から前記収納部内に所定間隔離間されて配設されていることを特徴としている。
この特徴によれば、読出装置が電磁遮蔽材から所定間隔離間されるので、読出装置からの電磁波を電磁遮蔽材に影響されることなくＲＦＩＤタグに受信させ、ＲＦＩＤタグからの電磁波を電磁遮蔽材に影響されることなく読出装置に受信させることができる。
【０００８】
本発明の請求項２に記載の物品情報の読出装置を備える什器は、請求項１に記載の物品情報の読出装置を備える什器であって、前記読出装置が設けられた棚板は非電磁遮蔽材で構成されることを特徴としている。
この特徴によれば、棚板は非電磁遮蔽材で構成されているので、読出装置を棚板の所望の位置に容易に設置できる。
【０００９】
本発明の請求項３に記載の物品情報の読出装置を備える什器は、請求項１に記載の物品情報の読出装置を備える什器であって、前記読出装置が設けられた棚板は電磁遮蔽材で構成され、該電磁遮蔽材と前記読出装置との間には磁性体が介挿されていることを特徴としている。
この特徴によれば、磁性体の介挿によって、読出装置によるＲＦＩＤタグの電磁波の受信が電磁遮蔽材によって影響されることがなく、しかも読出装置と電磁遮蔽材との所定間隔空間を設けることがないので、収納部の収納スペースが充分確保される。
【００１０】
本発明の請求項４に記載の物品情報の読出装置を備える什器は、請求項１乃至３のいずれかに記載の物品情報の読出装置を備える什器であって、前記収納部の天板または底板あるいはその両者が電磁遮蔽材からなることを特徴としている。
この特徴によれば、例えば、収納部全体がスチール等の電磁遮蔽材で構成された什器であっても、棚板に読出装置が配設されることで、ＲＦＩＤタグからの電磁波を電磁遮蔽材に影響されることなく読出装置に受信させることができる。
【００１１】
本発明の請求項５に記載の物品情報の読出装置を備える什器は、請求項１乃至４のいずれかに記載の物品情報の読出装置を備える什器であって、前記棚板に２つの読出装置が対面状態で配設され、この２つの読出装置の間には、電磁波干渉防止部材が介挿されていることを特徴としている。
この特徴によれば、電磁波干渉防止部材の介挿により、隣接する読出装置の電磁波が干渉することがなく、それぞれ別個に区画された収納部に収納される物品の情報を区画毎に受信できる。
【発明を実施するための最良の形態】
【００１２】
本発明の実施例を以下に説明する。
【実施例１】
【００１３】
図１に示されるように、本発明の実施例１の什器１が適用される物品管理システムの構成を示すブロック図が示されており、物品が収納される什器１は複数設置（本実施例では３台設置）されており、これら什器１側からは通信ケーブル２を介して中継装置１１に接続されており、中継装置１１は通信ケーブル２を介して什器アンテナ１０に接続されている。
【００１４】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１５】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１６】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられており、これらの収納部にファイルやカルテ等の書類を収納するファイルケースや書籍等の物品７が収納されている。後述において詳述するが、什器１に収納されるファイルケースや書籍等の物品には、個々にＲＦＩＤタグが貼付されている。
【００１７】
書庫１００の収納部に設けられる棚板２５や棚板２６には、後述する読出装置としてのＲＦＩＤアンテナが配設されており、ＲＦＩＤタグからの物品情報を含む電磁波を受信可能になっている。ＲＦＩＤアンテナは通信ケーブル２、中継装置１１、什器アンテナ１０、管理アンテナ９を介して、管理コンピュータ３に接続されており、これら什器１に収納されるＲＦＩＤタグの物品情報のデータが管理コンピュータ３に送信されることで、管理コンピュータ３で複数の什器１に収納される物品の管理を一元的に行えるようになっている。
【００１８】
また、後述において詳述する書庫１００には、解錠ランプ１１５、施解錠装置１１７、スピーカ１１６、上棚指示ランプ１１１、下棚指示ランプ１１２、が設けられており、前述のＲＦＩＤアンテナと同様に通信ケーブル２、中継装置１１、什器アンテナ１０、管理アンテナ９を介して、管理コンピュータ３に接続されており、管理コンピュータ３で一元的に什器１が制御されるようになっている。
【００１９】
図２（ａ）に示されるように書庫１００には、前面がガラス扉１３によって構成されており、ガラス扉１３は左右に開閉可能な引戸構造になっており、左右それぞれに形成された左手掛部１３ｂや右手掛部１３ａで扉を開放できるようになっている。
【００２０】
正面下方には右側より、解錠ランプ１１５、施解錠装置１１７、スピーカ１１６が設けられている。施解錠装置１１７は手動によって外部から施解錠させることもできるが、通常は管理コンピュータ３からの制御データに基づいて、ガラス扉１３の施解錠が行われるようになっている。ガラス扉１３の解錠が行われると解錠ランプ１１５が点灯し、旋錠が行われると解錠ランプ１１５が消灯する構成になっている。スピーカ１１６は解錠ランプ１１５の代替手段として設けられており、ブザー等で報知できるようになっている。
【００２１】
図２（ｂ）に示されるように、書庫１００の収納部には棚板２５、２６が設けられており、棚板２５によって上棚収納部１０１と下棚収納部１０２とに区分され、上棚収納部１０１にはファイルケース１４、下棚収納部１０２には書籍１５が複数収納されている。
【００２２】
棚板２５には上棚指示ランプ１１１が設けられ、棚板２６には下棚指示ランプ１１２が設けられており、管理コンピュータ３からの制御データに基づいて、これらランプの点灯消灯が制御されるようになっている。
【００２３】
そこで、本実施例の什器１が適用された物品管理システムの使用方法の一例である物品の貸出方法を説明すると、書籍１５の貸出しを希望する利用者によって、図１に示される入力端末４より所望の書類が収納されたファイルケース１４がリストアップされ、貸出し予約が行われる。
【００２４】
管理コンピュータ３は入力端末４からの貸出し予約に基づいて、該当するファイルケース１４が収納される什器１の収納場所（本実施例においては書庫１００の上棚収納部１０１とする。）を特定する。
【００２５】
そして、管理コンピュータ３は特定された収納場所である書庫１００の施解錠装置１１７に解錠信号を送信し、解錠ランプ１１５と上棚指示ランプ１１１に点灯信号を送信する。
【００２６】
管理コンピュータ３からの解錠信号に基づいて施解錠装置１１７が解錠され、点灯信号に基づいて図２（ｂ）に示されるように、解錠ランプ１１５と上棚指示ランプ１１１が点灯される。
【００２７】
そこで、解錠ランプ１１５の点灯を目印にファイルケース１４の収納場所まで利用者に移動してもらい、すでに解錠信号によって解錠されたガラス扉１３を利用者に開放してもらう。
【００２８】
前述の上棚指示ランプ１１１は、予め管理コンピュータ３からの点灯信号に基づいて点灯していることから、利用者に対して上棚収納部１０１に貸出し予約されたファイルケース１４がある旨の報知がなされる。
【００２９】
利用者によって貸出し予約されたファイルケース１４が上棚収納部１０１から取り出されると、棚板２５に配設されたＲＦＩＤアンテナがファイルケース１４に貼付されたＲＦＩＤタグからの電磁波を受信できなくなるので、管理コンピュータ３はファイルケース１４が上棚収納部１０１から取り出されたと判断する。
【００３０】
そして、利用者によってファイルケース１４から所望の書類が取り出され、再び上棚収納部１０１にファイルケース１４が収納されると、棚板２５に配設されたＲＦＩＤアンテナがファイルケース１４に貼付されたＲＦＩＤタグの電磁波を受信することで、管理コンピュータ３は上棚収納部１０１にファイルケース１４が収納されたと判断し、貸出し完了となる。
【００３１】
また、利用者が誤って貸出し予約したファイルケース１４とは違う他のファイルケース１４を上棚収納部１０１から取り出した場合や、上棚収納部１０１に貸出し予約したファイルケース１４とは違う他のファイルケース１４が収納された場合には、管理コンピュータ３から上棚指示ランプ１１１やスピーカ１１６、解錠ランプ１１５に対してエラー信号を送信し、ランプの点滅やブザーによる報知を行うことで、利用者や管理者にエラー報知を行うようになっている。
【００３２】
次に、ＲＦＩＤアンテナが配設される棚板２５や棚板２６の構造および、ＲＦＩＤアンテナとＲＦＩＤタグとの関係を図３、図４を用いて詳述に説明する。
【００３３】
図３に示されるように、書庫１００は、電磁遮蔽材である天板１６、背面板１７、側面板１９、底板１８から構成され、開口前面側にはガラス扉１３が取り付けられている。ガラス扉１３の下方には外部に露出して、解錠ランプ１１５が取り付けられている。天板１６と底板１８の中間位置には棚板２５が設けられ、底板１８から上方に所定間隔離間させた位置に棚板２６が設けられている。書庫１００の収納部は、棚板２５によって上下に区画され、上棚収納部１０１、下棚収納部１０２が形成されている。
【００３４】
棚板２５の構造について以下に説明する。棚板２５は、非電磁遮蔽材（本実施例では硬質プラスチック材）から構成された棚板本体２５ａと、読出装置に相当する棚ＲＦＩＤアンテナ４７と、非電磁遮蔽材（本実施例では硬質プラスチック材）から構成されたアンテナ保護被膜２２とから主に構成されている。
【００３５】
棚板本体２５ａの上端面には棚ＲＦＩＤアンテナ４７の端部が背面板１７から所定間隔（Ｌ１）離間され配設されており、さらにアンテナ保護被膜２２で棚ＲＦＩＤアンテナ４７が被覆されることで、例えば棚板２５にファイルケースや書籍等の物品の収納時における傷や故障等の発生を未然に防ぐようになっており、棚ＲＦＩＤアンテナ４７を保護している（図４参照）。また、棚板２５のガラス扉１３側には上棚支持ランプ１１１が設けられている。
【００３６】
前述した上棚支持ランプ１１１、棚ＲＦＩＤアンテナ４７、解錠ランプ１１５、スピーカはそれぞれ通信ケーブル２に接続され、これらの通信ケーブル２は背面板１７内で束ねられて、什器１の外部に配線されて、図１に示すように、中継装置１１，什器アンテナ１０、管理アンテナ９を介して管理コンピュータ３に接続されている。
【００３７】
なお、棚板２６の構造も棚板２５と同様の構成であるので説明を省略するが、棚板２６に配設された棚ＲＦＩＤアンテナ４８の端部も背面板１７から所定間隔（Ｌ１）離間され、その下端面が底板１８の上面から所定間隔（Ｌ２）離間して棚板２６に設けられている。
【００３８】
ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００３９】
そこで、本実施例においては図３に示されるように、什器１に適用された棚ＲＦＩＤアンテナ４７、４８と、背面板１７との間隔（Ｌ１）を５０ｍｍとし、棚ＲＦＩＤアンテナ４８と底板１８との間隔（Ｌ２）を５０ｍｍとし、棚ＲＦＩＤアンテナ４７、４８とガラス扉１３との間隔（Ｌ３）を５０ｍｍとし、後述において図４に説明する棚ＲＦＩＤアンテナ４７と側面板１９との間隔（Ｌ４）を５０ｍｍとする。
【００４０】
本実施例の什器１では非電磁遮蔽材であるガラス扉１３が利用されているので、棚ＲＦＩＤアンテナ４７、４８とガラス扉１３との間隔（Ｌ３）を設けなくとも、ＲＦＩＤアンテナとＲＦＩＤタグとの電磁波の送受信には特に問題はないが、書庫１００の前面扉がガラス扉１３ではなく、特にスチール等の電磁遮蔽材によって前面扉が構成される場合も想定して、予め電磁波が影響を受けないように間隔（Ｌ３）が設けられている。
【００４１】
図４に示されるように、書庫１００の上棚収納部１０１にはファイルケース１４が棚板２５に載置されて複数収納されており、このファイルケース１４の下端にはＲＦＩＤタグ３０がそれぞれ貼付されている。
【００４２】
棚板本体２５ａに配置される棚ＲＦＩＤアンテナ４７は、左右の側面板１９から所定間隔（Ｌ４）離間され配設され、棚板２６の棚ＲＦＩＤアンテナ４８と側面板１９との間隔も同様に所定間隔（Ｌ４）離間され配設されているので、棚ＲＦＩＤアンテナ４８側についての説明は省略する。
【００４３】
以上の実施例１の説明により、上棚及び下棚収納部１０１、１０２では、読出装置に相当する棚ＲＦＩＤアンテナ４７、４８は、電磁遮蔽材に相当する背面板１７、左右の側面板１９、天板１６、底板１８から所定間隔離間されるので、棚ＲＦＩＤアンテナ４７、４８とＲＦＩＤタグ３０との電磁波が背面板１７、左右の側面板１９、天板１６、底板１８を構成する電磁遮蔽材から影響を受けることがなく、ＲＦＩＤタグ３０の物品情報の読み出しが正確に行える。
【実施例２】
【００４４】
本発明の実施例２の説明を図５、図６を用いて説明する。なお、前記実施例１と同様の構造部分に関しては、同一の符号を付すことにより詳細な説明は省略することとする。また、以下に後述する実施例２の棚板２６’と、棚板２５’の構成は略同一であるので、棚板２５’の説明を省略する。
【００４５】
前記の実施例１の棚板２６においては、底版１８から棚ＲＦＩＤアンテナ４８を所定間隔（Ｌ２）離間させていたが（図３参照）、本実施例では棚板２６’が電磁遮蔽材で構成されたもので底板１８から所定間隔（Ｌ２）離間する必要のない棚板２６’の構造ついて以下に説明する。
【００４６】
まず、棚板２６’は、電磁遮蔽材（本実施例では金属製のスチール板）から構成された棚板本体２６ａ’と、磁性体２１と、読出装置に相当する棚ＲＦＩＤアンテナ４８と、非電磁遮蔽材（本実施例では硬質プラスチック材）から構成されたアンテナ保護被膜２２とから主に構成されている。棚板本体２６ａ’と棚ＲＦＩＤアンテナ４８の間に介挿される磁性体２１は、電磁遮蔽材である棚板本体２６ａ’が電磁波に与える影響を防ぐ特性を有している。
【００４７】
このことから、棚板本体２６ａ’が電磁遮蔽材であっても、本体２６ａ’と棚ＲＦＩＤアンテナ４８との間に磁性体２１が介挿されていれば、棚ＲＦＩＤアンテナ４８とＲＦＩＤタグ３０とが相互に送受信を行う電磁波は棚板本体２６ａ’に影響されることがなく、ＲＦＩＤタグ３０に記録される書籍１５の物品情報を読み取るのに不具合が生じることはない。
【００４８】
以上の説明により実施例２の棚板２６’では、電磁遮蔽材に相当する棚板本体２６ａ’と、読出装置に相当する棚ＲＦＩＤアンテナ４８との間に磁性体２１が介挿されているので、棚ＲＦＩＤアンテナ４８とＲＦＩＤタグ３０との電磁波が棚板本体２６ａ’や底板１８から影響を受けることがなく、ＲＦＩＤタグ３０の物品情報の読み出しが正確に行える。
【００４９】
しかも、棚板本体２６ａ’と棚ＲＦＩＤアンテナ４８との間隔が前記実施例１の間隔（Ｌ２）よりもさらに間隔幅の狭い間隔となることから、下棚収納部１０２の収納スペースが充分確保される什器１となっている。
【実施例３】
【００５０】
本発明の実施例３の説明を図７を用いて説明する。なお、前記実施例１，２と同様の構造部分に関しては、同一の符号を付すことにより詳細な説明は省略することとする。
【００５１】
前記実施例１，２の上下の棚収納部、１０１，１０２においては、それぞれの棚ＲＦＩＤアンテナ４７、４８で上棚収納部１０１と下棚収納部１０２に収納されるファイルケース１４と書籍１５に付されたＲＦＩＤタグ３０との電磁波の送受信を行っているが、本実施例では、中間に設けた棚板２５’’に配設した２つのＲＦＩＤアンテナにより上棚収納部１０１と下棚収納部１０２とに収納されるファイルケース１４と書籍１５のＲＦＩＤタグ３０の電磁波を別個に送受信が可能となるようにしたものである。
【００５２】
図７に示されるように、棚板２５’’によって上下に区画される上棚収納部１０１と下棚収納部１０２には、ＲＦＩＤタグ３０が貼付されたファイルケース１４と書籍１５が複数収納されている。棚板２５’’の上端部のアンテナ保護被膜２２と下端部のアンテナ保護被膜２２の間には、上端部のアンテナ保護被膜２２側から棚ＲＦＩＤアンテナ４７、磁性体２１、棚板本体２５ａ’’、磁性体２１、棚ＲＦＩＤアンテナ４８が順に介挿され多層状に配設されている。
【００５３】
棚板本体２５ａ’’は金属板によって構成された電磁遮蔽材で構成されており、棚ＲＦＩＤアンテナ４７、４８からそれぞれ発生する電磁波に対して、棚板本体２５ａ’’から磁界を逆向きに発生させることで、棚ＲＦＩＤアンテナ４７、４８の電磁波が互いに干渉することを防ぐ特性を有している。
【００５４】
棚ＲＦＩＤアンテナ４７、４８と棚板本体２５ａ’’との間に介挿される２枚の磁性体２１は、棚板本体２５ａ’’から発生する磁界が棚ＲＦＩＤアンテナ４７、４８から発生する電磁波に与える影響を防ぐ特性を有している。
【００５５】
このことから、棚板本体２５ａ’’の上下端面に磁性体２１を棚ＲＦＩＤアンテナ４７、４８の間に介挿させることにより、上棚収納部１０１に収納されるファイルケース１４の物品情報を棚ＲＦＩＤアンテナ４７、下棚収納部１０２に収納される書籍１５の物品情報を棚ＲＦＩＤアンテナ４８で、それぞれ別個に区画して受信できる。
【００５６】
実施例３の棚板２５’’では、読出装置に相当する棚ＲＦＩＤアンテナ４７、４８との間に、棚板本体２５ａ’’の上下端面に磁性体２１を備えた電磁波干渉防止部材が介挿されることで、隣接する棚ＲＦＩＤアンテナ４７、４８の電磁波が互いに干渉することがなく、それぞれ別個に区画された収納部相当する上棚収納部１０１と下棚収納部１０２に収納される物品の情報を区画毎に受信できる。
【００５７】
以上、本発明の実施例を図面により説明してきたが、具体的な構成はこれら実施例に限られるものではなく、本発明の要旨を逸脱しない範囲における変更や追加があっても本発明に含まれ、例えば上記実施例３では、ＲＦＩＤアンテナ（４７、４８）とＲＦＩＤタグ（３０）の電磁波の送受信が電磁遮蔽材から影響を受けないように、電子遮蔽材である棚板本体２５ａ’’の上下端面に磁性体２１を備えた電磁波干渉防止部材を取り付けていたが、本発明はこの電磁波干渉防止部材に限定されるものではなく、ＲＦＩＤアンテナとＲＦＩＤタグの電磁波の送受信が電磁遮蔽材の影響から受けないような電磁波干渉防止部材の効果を有する他の構成を利用するようにしても良い。
【００５８】
また、ＲＦＩＤタグ３０の取付位置については本やファイルケースの底面１箇所だけでなく複数貼着して読み取りミスをなくすようにしても良い。
【図面の簡単な説明】
【００５９】
【図１】本発明の実施例１における什器が適用された物品管理システムの構成を示すブロック図である。
【図２】（ａ）本発明の什器を示す正面図である。  （ｂ）什器の扉を開放した状態を示す正面図である。
【図３】図１の什器のＡ―Ａ線の縦断面図である。
【図４】図３の什器のＢ−Ｂ線の正面断面図である。
【図５】本発明の実施例２である什器の縦断面図である。
【図６】図５の什器のＣ−Ｃ線の正面断面図である。
【図７】本発明の実施例３である什器の平面断面図である。
【符号の説明】
【００６０】
１                          什器
２                          通信ケーブル
３                          管理コンピュータ
４                          入力端末
５                          ＲＦＩＤリーダ／ライタ
６                          利用者認証カード
７                          物品
８                          ＬＡＮケーブル
９                          管理アンテナ
１０                        什器アンテナ
１１                        中継装置
１３                        ガラス扉
１３ａ                      右手掛部
１３ｂ                      左手掛部
１４                        ファイルケース
１５                        書籍
１６                        天板（電磁遮蔽材）
１７                        背面板（電磁遮蔽材）
１８                        底板（電磁遮蔽材）
２１                        磁性体
２２                        アンテナ保護被膜
２５、２５’、２５’’        上棚収納部の棚板
２５ａ、２５ａ’、２５ａ’’  棚板本体
２６、２６’、２６’’        下棚収納部の棚板
２６ａ、２６ａ’、２６ａ’’  棚板本体
３０                        ＲＦＩＤタグ
４７                        上棚の棚ＲＦＩＤアンテナ（読出装置）
４８                        下棚の棚ＲＦＩＤアンテナ（読出装置）
１００                      書庫
１０１                      上棚収納部（収納部）
１０２                      下棚収納部（収納部）
１１１                      上棚指示ランプ
１１２                      下棚指示ランプ
１１５                      解錠ランプ
１１６                      スピーカ
１１７                      施解錠装置
２００                      ラテラル
２０１、２０２              引き出し
２０３、２０４              引き出し
【図１】
2005144007.tif 000003
【図２】
2005144007.tif 000004
【図３】
2005144007.tif 000005
【図４】
2005144007.tif 000006
【図５】
2005144007.tif 000007
【図６】
2005144007.tif 000008
【図７】
2005144007.tif 000009